(57)【特許請求の範囲】
【請求項１】
競技者が所定位置に至ると信号を受信し、前記所定位置を通過したことを表す通過信号としてのラップを出力する通過位置検出部と、
スタートからの経過時間であるスプリットタイムを計測する計時部と、
所定のストップ処理により、前記スプリットタイムの計測を停止させるように前記計時部を制御し、前記ストップ処理が入力された時刻前の直近のラップの入力時刻に対応する前記スプリットタイムをトータルスプリットタイムとする制御部と、
を備え、
前記制御部は、前記ストップ処理とともに、前記通過信号の受信を停止することを特徴とする電子時計。
【請求項２】
前記制御部は、第１スイッチを通常よりも長い時間で押し続けることにより、前記ストップ処理を行うことを特徴とする請求項１に記載の電子時計。
【請求項３】
前記制御部は、第１スイッチを押し、続いて第２スイッチを押すことにより、前記ストップ処理を行うことを特徴とする請求項１に記載の電子時計。
【請求項４】
前記制御部は、前記計時部が予め設定した完走限度時刻を計時したことにより、前記ストップ処理を行うことを特徴とする請求項１に記載の電子時計。
【請求項５】
前記制御部は、前記ラップの入力される個数をカウントし、カウントした個数が予め設定した規定数に達したことにより、前記ストップ処理を行うことを特徴とする請求項１に記載の電子時計。
【発明の詳細な説明】
【技術分野】
【０００１】
本発明は、電子時計に関する。
【背景技術】
【０００２】
マラソン競技などのスポーツ競技において競技者が使用する電子時計として、クロノグラフモード（ストップウオッチモード）を備えた電子時計がある（例えば、特許文献１、特許文献２）。
【先行技術文献】
【特許文献】
【０００３】
【特許文献１】特開平５−１７２９６０号公報
【特許文献２】特許第５２０４８３６号公報
【発明の概要】
【発明が解決しようとする課題】
【０００４】
しかしながら、電子時計には、ストップウオッチモード以外に、時刻モード、タイマーモード等、複数の動作モードを有するものがある。ユーザーは、このような複数の動作モードを有している電子時計を操作する場合、電子時計が有するスイッチを操作することで使用する動作モードを選択する。しかしながら、使用する動作モードへの変更やスイッチ操作を理解していないユーザーも多く、スタート時刻が予め決まっている競技大会等においてストップウオッチモードを正確には使えないというケースもあった。すなわち、電子時計の利便性が悪いという問題があった。
【０００５】
本発明は、上記のような問題点を解決するためになされたものであり、利便性の高い電子時計を提供することにある。
【課題を解決するための手段】
【０００６】
上記の課題を解決するために、本発明の電子時計は、競技者が所定位置に至ると信号を受信し、前記所定位置を通過したことを表す通過信号としてのラップを出力する通過位置検出部と、スタートからの経過時間であるスプリットタイムを計測する計時部と、所定のストップ処理により、前記スプリットタイムの計測を停止させるように前記計時部を制御し、前記ストップ処理が入力された時刻前の直近のラップの入力時刻に対応する前記スプリットタイムをトータルスプリットタイムとする制御部と、を備え、前記制御部は、前記ストップ処理とともに、前記通過信号の受信を停止することを特徴とする。
【０００７】
また、本発明の電子時計は、前記制御部は、第１スイッチを通常よりも長い時間で押し続けることにより、前記ストップ処理を行うことを特徴とする。
【０００８】
また、本発明の電子時計は、前記制御部は、第１スイッチを押し、続いて第２スイッチを押すことにより、前記ストップ処理を行うことを特徴とする。
【０００９】
また、本発明の電子時計は、前記制御部は、前記計時部が予め設定した完走限度時刻を計時したことにより、前記ストップ処理を行うことを特徴とする。
【００１０】
また、本発明の電子時計は、前記制御部は、前記ラップの入力される個数をカウントし、カウントした個数が予め設定した規定数に達したことにより、前記ストップ処理を行うことを特徴とする。
【発明の効果】
【００１１】
本発明によれば、コースの予め設定された設定スタート時刻になると、スイッチ操作の必要のない、マラソンストップウオッチモードに移行する。また、所定のストップ処理により、少ないスイッチ操作によりマラソンストップウオッチモードを終了させることができる。これにより、ユーザーにとってストップウオッチモードは使いやすくなるので、利便性の高い電子時計を提供することができる。
【図面の簡単な説明】
【００１２】
【図１】本実施形態における電子時計の構成を示すブロック図である。
【図２】本実施形態における電子時計の使用の一例を示す図である。
【図３】本実施形態における電子時計の外形図の一例を示す図である。
【図４】本実施形態における電子時計のスイッチの機能を説明するための図である。
【図５】従来例における時計操作を示すタイミングチャートである。
【図６】従来例における時計操作を示すフローチャートである。
【図７】本実施形態における時計操作を示すフローチャートである。
【図８】本実施形態における時計操作を示すタイミングチャートである。
【図９】本実施形態における時計操作を示すフローチャートである。
【図１０】本実施形態における時計操作を示すフローチャートである。
【図１１】第２の実施形態における時計操作を示すタイミングチャートである。
【図１２】第２の実施形態における時計操作を示すフローチャートである。
【図１３】第３の実施形態における時計操作を示すタイミングチャートである。
【図１４】第３の実施形態における時計操作を示すフローチャートである。
【図１５】第４の実施形態における時計操作を示すタイミングチャートである。
【図１６】第４の実施形態における時計操作を示すフローチャートである。
【図１７】第１の変形例における時計操作を示すフローチャートである。
【図１８】第２の変形例における時計操作を示すフローチャートである。
【図１９】第３の変形例における時計操作を示すフローチャートである。
【発明を実施するための形態】
【００１３】
以下、本発明の実施の形態について図面を参照しながら説明する。
【００１４】
［第１の実施形態］
図１は、本実施形態における電子時計の構成を示すブロック図である。
図１に示すように、電子時計１０は、計時部２（計時部）、受信アンテナ１１、受信回路１２（通過位置検出部）、マイクロプロセッサ１３（制御部）、外部操作部材１４、ディスプレイ１５、メモリ１６（記憶部）、受信スイッチ２０、および電源１７を備える。
図１に示す電子時計１０は、ランナーがマットの上を通過する際の時刻に基づいて、スプリットタイムおよびラップタイムを計測することが可能となる。
【００１５】
図２は、本実施形態における電子時計の使用の一例を示す図である。競技者がマット５の上を通過する際、電子時計１０の受信アンテナ１１は、マット５が内蔵する信号発生コイル５ａが放射する所定の周波数の電磁波（アンテナ信号）を受信する。このマット５は、信号発信器６が生成する信号を所定の周波数の電磁波に変換して放射している。また、マット５は、競技者が走るコースの開始点と終了点との間に複数個、所定位置に配置されている。
図１に戻って、受信回路１２は、受信アンテナ１１が複数のマット５各々に対応する信号発生コイル５ａからアンテナ信号を受信（競技者が所定位置に至ると信号を受信）し、マット５を通過したことを表す通過信号（ラップ）をマイクロプロセッサ１３に対して出力する。
受信スイッチ２０は、電源１７と受信回路１２との間に配置され、マイクロプロセッサ１３からの制御信号により接続状態と切断状態とを選択可能とするトランジスタ等で構成される。これにより、受信スイッチ２０は、受信回路１２を受信可能な状態とするため電源１７から給電される電力を制御することができる。従って、受信回路１２は、マイクロプロセッサ１３により受信状態と非受信状態（受信停止状態）とを選択できるようになる。なお、マイクロプロセッサ１３が受信回路１２から受ける信号をソフトウェア上で選択的に受信することで、受信回路１２がマイクロプロセッサ１３により受信状態と非受信状態とを選択する構成と同様の効果を得ることができる。本実施形態においては、受信スイッチ２０により受信回路１２をオンまたはオフする場合と、マイクロプロセッサ１３が受信回路１２からの信号を受信または遮断する場合と、いずれの場合を採用しても構わない。
計時部２は、マイクロプロセッサ１３の制御により、現在時刻（以下、適宜現在時刻Ｔという）を計時し、計時した現在時刻Ｔをマイクロプロセッサ１３に出力する。なお、この計時部２は、マイクロプロセッサ１３が内蔵するクロックを含む回路であってもよい。
マイクロプロセッサ１３は、この現在時刻Ｔおよび上記通過信号に基づいて、スプリットタイム、ラップタイムを計測する（詳細後述）。なお、現在時刻Ｔを計測する計時部２がスプリットタイム、ラップタイムを計測する構成としてもよい。
また、マイクロプロセッサ１３は、通過信号を積算（カウント）する積算部を有しており、コースに配置されたマット５の個数をＮ個とした場合、各マットの開始点からの順番を表すマット番号ｎ（１≦ｎ≦Ｎ）をカウントする。
外部操作部材１４は、ユーザーからの指示の入力操作を受け付けるスイッチを含んで構成される。
ディスプレイ１５は、一例としてＬＣＤによって構成される表示部であり、マイクロプロセッサ１３が計時部２に計測させている現在時刻Ｔやマイクロプロセッサ１３が計測している計測時間を表示する。
メモリ１６は、ＲＯＭやＲＡＭで構成されており、マイクロプロセッサ１３が計測した計測時間（スプリットタイム、ラップタイム）や、マイクロプロセッサ１３が計測の際用いる、外部から入力された基準となる時間（設定タイマー時間Ｓ０）または時刻（設定スタート時刻Ｔ０、完走限度時刻ＴＥ）を記憶している。マイクロプロセッサ１３は、計時部２を制御して、計時部２が計測する現在時刻Ｔが完走限度時刻ＴＥに達した際、完走限度時刻ＴＥに達したことを表す完走限度時刻到達信号をマイクロプロセッサ１３に出力させる（詳細後述）。なお、マイクロプロセッサ１３が、計時部２が計測する現在時刻Ｔが完走限度時刻ＴＥに達したことを判定して完走限度時刻到達信号を生成する構成としてもよい。
また、メモリ１６は、コースに配置されたマット５の規定数Ｎｒ（＝Ｎ）を記憶している。マイクロプロセッサ１３は、マット番号ｎが規定数Ｎｒに達するか否かの判定を行う（詳細後述）。
電源１７は、受信回路１２やマイクロプロセッサ１３などに、それらの動作に必要な電力を供給する電力供給回路である。
【００１６】
マイクロプロセッサ１３は、外部操作部材１４から入力される、ユーザーからの指示に応じて、動作モードの切替、各動作モードにおける動作の選択を行う。マイクロプロセッサ１３が実行する制御について、図３および図４を参照して説明する。図３は、本実施形態における電子時計の外形図の一例を示す図である。また、図４は、本実施形態における電子時計のスイッチの機能を説明するための図である。
図３に示すように、電子時計１０は、５つのスイッチ（ＳＷＡ、ＳＷＢ、ＳＷＣ、ＳＷＤ、ＳＷＥ）とディスプレイ１５とを含んで構成される。ＳＷＡ、ＳＷＢ、ＳＷＣ、ＳＷＤ、ＳＷＥは、操作入力を受け付ける外部操作部材１４が含むスイッチである。
図４に示すように、電子時計１０は、時刻モード、ストップウオッチモード、タイマーモード、マラソンストップウオッチモード、マラソンタイマーモードを有している。
このうち、時刻モード、ストップウオッチモード、タイマーモードは、従来から電子時計１０が有している通常のＳＷ処理で動作する動作モードであり、マラソンストップウオッチモードおよびマラソンタイマーモードは、電子時計１０が新たに有する特定のＳＷ処理で動作する動作モードである。
【００１７】
時刻モードは、通常の時刻表示を行うモードであり、例えば、図３に示すように、ディスプレイ１５に、現在時刻Ｔを月日と時分とで表示させるモードである。
時刻モードにおいて、ＳＷＡは、目覚し時刻などの設定された時刻にブザー音などを電子時計から発声させるか（ＯＮ）、発生させないか（ＯＦＦ）の指示を受け付けるスイッチである。マイクロプロセッサ１３は、ＳＷＡが受け付けた指示がＯＮの場合、設定された時刻にブザーに音を発生させる。一方、マイクロプロセッサ１３は、ＳＷＡが受け付けた指示がＯＦＦの場合、設定された時刻にブザーに音を発生させない。
時刻モードにおいて、ＳＷＢは、動作モードを切り替える指示を受け付けるスイッチである。マイクロプロセッサ１３は、ＳＷＢが受け付けた指示に応じて、動作モードをストップウオッチモード、タイマーモードのいずれかモードへ移行させる。
時刻モードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
時刻モードにおいて、ＳＷＤは、ディスプレイ１５に表示されている時刻を調節する（ＡＤＪＵＳＴ）指示を受け付けるスイッチである。マイクロプロセッサ１３は、ＳＷＤが受け付けた指示に応じて、ディスプレイ１５に表示されている時計のずれた時刻を調節する。
時刻モードにおいて、ＳＷＥは、ディスプレイ１５に表示されている時刻を切り替える指示を受け付けるスイッチである。マイクロプロセッサ１３は、ＳＷＥが受け付けた指示に応じて、例えば、ディスプレイ１５に表示されている現在時刻Ｔを、２４時間表示である時刻から、午前（ＡＭ）または午後（ＰＭ）を用いた１２時間表示である時刻へ切り替える。
【００１８】
ストップウオッチモードは、スポーツ競技等における記録の時間を計測し、計測結果を、ディスプレイ１５に表示させ、メモリ１６に記憶させるモードである。
ストップウオッチモードは、競技者が開始信号をＳＷＡに入力し、コースのスタート地点からスタートすると、スタート時刻からの経過時間であるスプリットタイムを計測するとともに、スタート時刻からの経過時間であるラップタイムあるいは複数のマットのうちの１つのマットを通過した時刻からの経過時間であるラップタイムを計測する。
ここで、コースに配置されたマット５の個数をＮ個とし、開始点に配置されたマット５をマット５−１、開始点の次に配置されたマット５をマット５−２、…、終了点の１つ前に配置されたマット５をマット５−（Ｎ−１）、終了点に配置されたマット５をマット５−Ｎとする。
スプリットタイム（ＳＰＬ）には、スタート時刻からの経過時間により定義されるグロスタイム（ＳＰＬＧ）と、スタートライン通過時刻からの経過時間により定義されるネットタイム（ＳＰＬＮ）とがある。一般的に、グロスタイムとは、競技大会の主催者側で記録されるのに対して、ネットタイムとは、ユーザー自身の記録を把握するのに利用される傾向にある。大きな大会では、主催者側が設定するスタート時刻になっても、スタートラインに到達できないユーザーも多いという事情によるものである。
グロスタイム（ＳＰＬＧ）とは、スタート時刻からの経過時間であるから、マイクロプロセッサ１３は、現在時刻Ｔからスタート時刻を減算することによりグロスタイムの時間計測を行い、計測結果をディスプレイ１５に表示させる。
一方、ネットタイム（ＳＰＬＮ）とは、スタートライン通過時刻からの経過時間であるから、マイクロプロセッサ１３は、現在時刻Ｔからスタートライン通過時刻を減算することによりネットタイムの時間計測を行い、計測結果をディスプレイ１５に表示させる。
また、受信回路１２からマット５を通過したことを表す通過信号が入力されると、マイクロプロセッサ１３は、マット５各々を通過した時刻であるマット通過時刻ｎ（ｎ＝１〜Ｎ）を、マット５の番号１〜Ｎに対応する形式で、メモリ１６に記憶させていく。
【００１９】
なお、受信回路１２からマット５を通過したことを表す通過信号が入力されると、マイクロプロセッサ１３は、マット５各々を通過した時刻からスタート時刻を減算することによりグロスタイムＳＰＬＧ１〜ＳＰＬＧＮを求め、それぞれのグロスタイムＳＰＬＧｎ（ｎ＝１〜Ｎ）を、マット５の番号１〜Ｎに対応する形式で、メモリ１６に記憶させてもよい。また、受信回路１２からマット５を通過したことを表す通過信号が入力されると、マイクロプロセッサ１３は、マット５各々を通過した時刻からスタートライン通過時刻を減算することによりネットタイムＳＰＬＮ２〜ＳＰＬＮＮを求め、それぞれのネットタイムＳＰＬＮｎ（ｎ＝２〜Ｎ）を、マット５の番号２〜Ｎに対応する形式で、メモリ１６に記憶させてもよい。
【００２０】
また、ラップタイム（ＬＡＰ）とは、スタート地点から終了点の間における区間毎の経過時間であるから、スタート時刻とマット５を通過した時刻とのうち遅い時刻からの経過時間である。そこで、マイクロプロセッサ１３は、現在時刻Ｔからスタート時刻を減算することによりスタート地点からマット５−１の間におけるラップタイムの時間計測を行い、計測結果をディスプレイ１５に表示させる。また、マイクロプロセッサ１３は、現在時刻Ｔからマット５−ｎ（１≦ｎ≦Ｎ−１）を通過した時刻（マット通過時刻ｎ）を減算することによりマット５−ｎからマット５−（ｎ＋１）の間におけるラップタイムの時間計測を行い、計測結果をディスプレイ１５に表示させる。
なお、マイクロプロセッサ１３は、受信回路１２からマット５を通過したことを表す通過信号が入力されると、マット５−１を通過した時刻からスタート時刻を減算することによりラップタイムＬＡＰ１を求める。また、マイクロプロセッサ１３は、受信回路１２からマット５を通過したことを表す通過信号が入力されると、マット５−（ｎ＋１）を通過した時刻からマット５−ｎを通過した時刻（マット通過時刻ｎ）を減算することによりラップタイムＬＡＰ（ｎ＋１）を求める。マイクロプロセッサ１３は、このように求めたラップタイム１、それぞれのラップタイムＬＡＰ（ｎ＋１）を、マット５の番号１〜Ｎに対応する形式で、メモリ１６に記憶させてもよい。
【００２１】
以上の様なストップウオッチモードでは、ＳＷＡ、ＳＷＢ、ＳＷＣ、ＳＷＤ、ＳＷＥは、以下の様な操作入力を受け付ける。
ストップウオッチモードにおいて、ＳＷＡは、計測開始するか（ＳＴＡＲＴ）、計測を停止させるか（ＳＴＯＰ）の指示を受け付けるスイッチである。マイクロプロセッサ１３は、ＳＷＡが受け付けた指示がＳＴＡＲＴの場合、計測を開始する。一方、マイクロプロセッサ１３は、ＳＷＡが受け付けた指示がＳＴＯＰの場合、計測を停止する。
ストップウオッチモードにおいて、ＳＷＢは、動作モードを切り替える指示を受け付けるスイッチである。マイクロプロセッサ１３は、ＳＷＢが受け付けた指示に応じて、動作モードをタイマーモード、時刻モードのいずれかのモードへ移行させる。
ストップウオッチモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
ストップウオッチモードにおいて、ＳＷＤは、表示の切替の指示を受け付けるスイッチである。マイクロプロセッサ１３は、ディスプレイ１５を制御して、現在時刻Ｔとスプリットタイム（ＳＰＬ）とを表示させる、あるいは現在時刻Ｔとラップタイム（ＬＡＰ）とを表示させる。なお、グロスタイム（ＳＰＬＧ）とネットタイム（ＳＰＬＮ）との表示を切り替えて表示させてもよい。
ストップウオッチモードにおいて、ＳＷＥは、ストップウオッチのリセット処理を受け付けるスイッチである。リセット処理とは、ストップウオッチをゼロに戻す（計測している時間を０に戻す）通常のリセット処理のことであり、スイッチを短押しするなどにより行われる。
【００２２】
タイマーモードは、タイマーにタイマー時間を設定し、このタイマーに設定されたタイマー時間をカウントダウンすることにより時間を計測し、カウントゼロで例えばアラーム音を鳴らす動作モードである。
タイマーモードにおいて、ＳＷＡは、タイマー時間を設定し、設定されたタイマー時間のカウントダウンを開始するか（ＳＴＡＲＴ）、カウントダウンを停止させるか（ＳＴＯＰ）の指示を受け付けるスイッチである。マイクロプロセッサ１３は、ＳＷＡが受け付けた指示がＳＴＡＲＴの場合、設定されたタイマー時間のカウントダウンを開始する。一方、マイクロプロセッサ１３は、ＳＷＡが受け付けた指示がＳＴＯＰの場合、カウントダウンを停止する。
タイマーモードにおいて、ＳＷＢは、動作モードを切り替える指示を受け付けるスイッチである。マイクロプロセッサ１３は、ＳＷＢが受け付けた指示に応じて、時刻モード、ストップウオッチモードのいずれかの動作モードを移行させる。
タイマーモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
タイマーモードにおいて、ＳＷＤは、タイマーモードに対する指示を受け付けない。
タイマーモードにおいて、ＳＷＥは、カウントダウンをリセット（ＲＥＳＥＴ）させる指示を受け付けるスイッチである。マイクロプロセッサ１３は、ＳＷＥが受け付けた指示に対して、カウントダウンさせるタイマー時間を再設定し、設定されたタイマー時間のカウントダウンを開始する。
【００２３】
マラソンストップウオッチモードは、ストップウオッチモードと同じく、スポーツ競技等における記録の時間を計測し、計測結果を、ディスプレイ１５に表示させ、メモリ１６に記憶させるモードである。しかし、マラソンストップウオッチモードは、ストップウオッチモードと異なり、移行する際に、計測開始するか（ＳＴＡＲＴ）の指示を受け付けるスイッチは不要であり、マラソン大会のスタート時刻（コースの予め設定された設定スタート時刻Ｔ０）になると、計測開始する。
すなわち、マラソンストップウオッチモードは、コースの予め設定された設定スタート時刻Ｔ０になると、設定スタート時刻Ｔ０からの経過時間であるスプリットタイムを計測するとともに、設定スタート時刻Ｔ０からの経過時間であるラップタイムあるいは複数のマットのうちの１つのマットを通過した時刻からの経過時間であるラップタイムを計測する。
スプリットタイム（ＳＰＬ）には、設定スタート時刻Ｔ０からの経過時間により定義されるグロスタイム（ＳＰＬＧ）と、スタートライン通過時刻からの経過時間により定義されるネットタイム（ＳＰＬＮ）とがある。
グロスタイム（ＳＰＬＧ）とは、設定スタート時刻Ｔ０からの経過時間であるから、マイクロプロセッサ１３は、現在時刻Ｔから設定スタート時刻Ｔ０を減算することによりグロスタイムの時間計測を行い、計測結果をディスプレイ１５に表示させる。
一方、ネットタイム（ＳＰＬＮ）とは、スタートライン通過時刻からの経過時間であるから、マイクロプロセッサ１３は、現在時刻Ｔからスタートライン通過時刻を減算することによりネットタイムの時間計測を行い、計測結果をディスプレイ１５に表示させる。
なお、マイクロプロセッサ１３の内部カウンタが設定スタート時刻Ｔ０になるとカウントを開始することによりグロスタイム（ＳＰＬＧ）の時間計測を行うこともある。また、マイクロプロセッサ１３の内部カウンタがスタートライン通過時刻になるとカウントを開始することによりネットタイム（ＳＰＬＮ）の時間計測を行うこともある。
また、受信回路１２からマット５を通過したことを表す通過信号が入力されると、マイクロプロセッサ１３は、マット５各々を通過した時刻であるマット通過時刻ｎ（ｎ＝１〜Ｎ）を、マット５の番号１〜Ｎに対応する形式で、メモリ１６に記憶させていく。
【００２４】
なお、受信回路１２からマット５を通過したことを表す通過信号が入力されると、マイクロプロセッサ１３は、マット５各々を通過した時刻から設定スタート時刻Ｔ０を減算することによりグロスタイムＳＰＬＧ１〜ＳＰＬＧＮを求め、それぞれのグロスタイムＳＰＬＧｎ（ｎ＝１〜Ｎ）を、マット５の番号１〜Ｎに対応する形式で、メモリ１６に記憶させてもよい。また、受信回路１２からマット５を通過したことを表す通過信号が入力されると、マイクロプロセッサ１３は、マット５各々を通過した時刻からスタートライン通過時刻を減算することによりネットタイムＳＰＬＮ２〜ＳＰＬＮＮを求め、それぞれのネットタイムＳＰＬＮｎ（ｎ＝２〜Ｎ）を、マット５の番号２〜Ｎに対応する形式で、メモリ１６に記憶させてもよい。
【００２５】
また、ラップタイム（ＬＡＰ）とは、スタート地点から終了点の間における区間毎の経過時間であるから、設定スタート時刻Ｔ０とマット５を通過した時刻とのうち遅い時刻からの経過時間である。そこで、マイクロプロセッサ１３は、現在時刻Ｔから設定スタート時刻Ｔ０を減算することによりスタート地点からマット５−１の間におけるラップタイムの時間計測を行い、計測結果をディスプレイ１５に表示させる。また、マイクロプロセッサ１３は、現在時刻Ｔからマット５−ｎ（１≦ｎ≦Ｎ−１）を通過した時刻（マット通過時刻ｎ）を減算することによりマット５−ｎからマット５−（ｎ＋１）の間におけるラップタイムの時間計測を行い、計測結果をディスプレイ１５に表示させる。
なお、マイクロプロセッサ１３は、受信回路１２からマット５を通過したことを表す通過信号が入力されると、マット５−１を通過した時刻から設定スタート時刻Ｔ０を減算することによりラップタイムＬＡＰ１を求める。また、マイクロプロセッサ１３は、受信回路１２からマット５を通過したことを表す通過信号が入力されると、マット５−（ｎ＋１）を通過した時刻からマット５−ｎを通過した時刻（マット通過時刻ｎ）を減算することによりラップタイムＬＡＰ（ｎ＋１）を求める。マイクロプロセッサ１３は、このように求めたラップタイム１、それぞれのラップタイムＬＡＰ（ｎ＋１）を、マット５の番号１〜Ｎに対応する形式で、メモリ１６に記憶させてもよい。
【００２６】
以上の様なマラソンストップウオッチモードでは、ＳＷＡ、ＳＷＢ、ＳＷＣ、ＳＷＤ、ＳＷＥは、以下の様な操作入力を受け付ける。
マラソンストップウオッチモードにおいて、ＳＷＡ（第１スイッチ）は、通常よりも長い時間で押し続けられることにより（長押しされることにより）、計測を停止させるか（ＳＴＯＰ）の指示を受け付けるスイッチである。マイクロプロセッサ１３は、ＳＷＡが受け付けた指示がＳＴＯＰの場合、計測を停止する。ＳＷＡが、ストップウオッチモードと異なり、計測開始するか（ＳＴＡＲＴ）の指示を受け付けない理由は、マイクロプロセッサ１３が、マラソン大会のスタート時刻（予め設定された設定スタート時刻Ｔ０）になると、自動で計測開始するからである。
ＳＷＡは、通常よりも長い時間で押し続けられることにより、特殊なストップ処理を行う指示をユーザーから受け付ける（詳細後述）。
また、ＳＷＡは、通常の時間で押されることにより（短押しされることにより）、計測開始するか（ＳＴＡＲＴ）、計測を停止させるか（ＳＴＯＰ）の指示を受け付けるスイッチとしても機能する。マイクロプロセッサ１３は、ＳＷＡが受け付けた指示がＳＴＡＲＴの場合、計測を開始する。一方、マイクロプロセッサ１３は、ＳＷＡが受け付けた指示がＳＴＯＰの場合、計測を停止する（通常のストップ処理）。ただし、ＳＷＡのＳＴＯＰさせる指示と、ＳＷＥ（第２スイッチ）によるストップウオッチのリセット処理を受け付ける指示とは、マラソンストップウオッチモードにおいて密接な関係を有している。すなわち、ＳＷＡのＳＴＯＰ指示が与えられた場合、マイクロプロセッサ１３は、ストップウオッチモードにおけるＳＷＡと同様、計測を停止させるか（ＳＴＯＰ）の指示を受け付ける。次に、マイクロプロセッサ１３は、ＳＷＡによる指示を受けてから、所定期間Ｔｗ経過する前に、ＳＷＥによるストップウオッチのリセット処理を受け付けると、後述するストップ処理（特殊なストップ処理）を行う。一方、マイクロプロセッサ１３は、ＳＷＡによる指示を受けてから、所定期間Ｔｗ経過しても、ＳＷＥによるストップウオッチのリセット処理を受け付けつけないと、ストップ処理（特殊なストップ処理）を行わず、ストップウオッチモードにおけるＳＷＡと同様、計測を停止させるか（ＳＴＯＰ）の指示を受け付けたものとし、通常のストップ処理を行う。なお、マイクロプロセッサ１３は、メモリ１６に記憶された所定期間Ｔｗを計測するタイマーを有している（詳細後述）。
マラソンストップウオッチモードにおいて、ＳＷＢは、現在時刻Ｔの表示の指示を受け付けるスイッチである。マイクロプロセッサ１３は、ディスプレイ１５を制御して、現在時刻Ｔを表示させる。ＳＷＢが、ストップウオッチモードと異なり、動作モードを切り替える指示を受け付けないのは、ユーザーにとって競技大会においてマラソンストップウオッチモードに移行後、電子時計１０を使う際に他の動作モードへ移行することによって、スイッチの押し間違いなどの発生を防ぎ、マラソンストップウオッチモードを使いやすくするためである。
マラソンストップウオッチモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
マラソンストップウオッチモードにおいて、ＳＷＤは、表示の切替の指示を受け付けるスイッチである。マイクロプロセッサ１３は、ディスプレイ１５を制御して、現在時刻Ｔとスプリットタイム（ＳＰＬ）とを表示させる、あるいは現在時刻Ｔとラップタイム（ＬＡＰ）とを表示させる。なお、グロスタイム（ＳＰＬＧ）とネットタイム（ＳＰＬＮ）との表示を切り替えて表示させてもよい。
マラソンストップウオッチモードにおいて、ＳＷＥは、ストップウオッチのリセット処理を受け付けるスイッチである。リセット処理とは、ストップウオッチをゼロに戻す（計測している時間を０に戻す）通常のリセット処理のことであり、スイッチを短押しするなどにより行われる。
【００２７】
マラソンタイマーモードは、タイマーモードと同様、タイマーにタイマー時間を設定し、このタイマーに設定されたタイマー時間をカウントダウンすることにより時間を計測し、カウントゼロで例えばアラーム音を鳴らす動作モードである。しかし、マラソンタイマーモードは、タイマーモードと異なり、移行する際に、カウントダウンを開始（ＳＴＡＲＴ）するか否かの指示を受け付けるスイッチは不要である。また、マラソンタイマーモードは、マラソン大会のスタート時刻（コースの予め設定された設定スタート時刻Ｔ０）より設定タイマー時間前に（予め設定された設定タイマー時間Ｓ０前に）、カウントダウンを自動で開始する。カウントダウンの様子はディスプレイ１５に表示されユーザーが視認できる。すなわち、設定スタート時刻Ｔ０にすぐにマラソンストップウオッチモードを開始させるのではなく、設定スタート時刻Ｔ０より設定タイマー時間Ｓ０前に、時刻モードから、そのあとマラソンストップウオッチモードへと自動で移行するマラソンタイマーモードへ移行させる。これは、ユーザーが設定スタート時刻Ｔ０までの設定タイマー時間Ｓ０の間、競技のための準備を行うための時間を設けることにより、安心してマラソンストップウオッチモードに入るようにしたものである。
マラソンタイマーモードにおいて、ＳＷＡは、マラソンタイマーモードに対する指示を受け付けない。
マラソンタイマーモードにおいて、ＳＷＢは、現在時刻Ｔの表示の指示を受け付けるスイッチである。マイクロプロセッサ１３は、ディスプレイ１５を制御して、現在時刻Ｔを表示させる。ＳＷＢが、タイマーモードと異なり、動作モードを切り替える指示を受け付けないのは、ユーザーにとって競技大会においてマラソンタイマーモードに移行後、電子時計１０を使う際に他の動作モードへ移行することによって、スイッチの押し間違いなどの発生を防ぎ、マラソンタイマーモードを使いやすくするためである。
マラソンタイマーモードにおいて、ＳＷＣは、バックライトを所定時間点灯させる指示を受け付けるスイッチである。マイクロプロセッサ１３は、ＳＷＣが受け付けた指示に応じて、バックライトを所定時間点灯させる。
マラソンタイマーモードにおいて、ＳＷＤは、マラソンタイマーモードに対する指示を受け付けない。
マラソンタイマーモードにおいて、ＳＷＥは、マラソンタイマーモードに対する指示を受け付けない。
【００２８】
次に、電子時計１０による従来例におけるマラソンモードの実施例について、図５および図６を用いて説明する。ここでは、マラソンモードの実施例として、動作モードが時刻モードからＴｉｍｅｒモード（タイマーモード）に移行し、Ｓｔｏｐ−Ｗモード（ストップウオッチモード）へ移行し、マラソンモードを終了して時刻モードへ移行する場合について説明する。図５は、従来例における時計操作を示すタイミングチャートである。また、図６は、従来例における時計操作を示すフローチャートである。
図５には、マラソン大会当日のスケジュールとして、ユーザーが大会の開始場所に１１月８日の９：００に到着し、その後マラソンの準備に入り、１０：００にスタートし、１２：００にゴールを通過するスケジュールを示している。また、図５ではそのスケジュールにおける時計操作のＳＷ処理について示している。また、図５では各ＳＷ処理を行った際のディスプレイ１５の表示内容を簡潔に示している。
以下、図６について、図５を適宜参照しながら説明する。
【００２９】
１１月８日の８：５６には、マイクロプロセッサ１３は、現在時刻の処理として時刻Ｔを処理する（ステップＳＴ１）。マイクロプロセッサ１３は、時計時刻表示を行う（ステップＳＴ１ａ）。マイクロプロセッサ１３は、現在時刻Ｔをディスプレイ１５に表示させる。例えば、図５に示すようにディスプレイ１５は、現在時刻Ｔとして１１月８日の８：５６を表示する。
ユーザーが、時刻モードにおいて、ＳＷＢを操作することにより、マイクロプロセッサ１３は、タイマーモードへの切り換えを行う（ステップＳＴ２）。
【００３０】
続いて、ユーザーが、タイマーモードにおいて、ＳＷＡを操作してタイマー時間を入力することにより、マイクロプロセッサ１３は、タイマースタートをする（ステップＳＴ３）。これにより、マイクロプロセッサ１３は、タイマーモードへ移行し、タイマーにタイマー時間を設定し、タイマーを動作させる。
マイクロプロセッサ１３は、ユーザーがスタートするまでの残タイマー時間処理を行う（ステップＳＴ４）。残タイマー時間とは、タイマーに設定されたタイマー時間のことであり、マイクロプロセッサ１３は、タイマーを制御してカウントダウンさせることにより残タイマー時間を計測する。マイクロプロセッサ１３は、タイマー表示を行う（ステップＳＴ４ａ）。マイクロプロセッサ１３は、現在時刻Ｔおよび残タイマー時間をディスプレイ１５に表示させる。例えば、図５に示すようにディスプレイ１５は、現在時刻Ｔとして９：４１を、残タイマー時間として０：１９（１９分）を表示する。
タイマーはタイマーＵＰする（ステップＳＴ５）。すなわち、マイクロプロセッサ１３が制御するタイマーの残りタイマー時間が０分になる。
ユーザーが、タイマーモードにおいて、ＳＷＢを操作することにより、マイクロプロセッサ１３は、ストップウオッチモードへの切り換えを行う（ステップＳＴ６）。
【００３１】
続いて、ユーザーが、ストップウオッチモードにおいて、ＳＷＡを操作することにより、マイクロプロセッサ１３は、ストップウオッチスタートをする（ステップＳＴ７）。
これにより、マイクロプロセッサ１３は、１０：００にストップウオッチモードへ移行する。
マイクロプロセッサ１３は、ストップウオッチの時間演算をする（ステップＳＴ８）。マイクロプロセッサ１３は、現在時刻Ｔからスタート時刻を減算することにより、スタート時刻（１０：００）からの経過時間であるスプリットタイムの時間計測を行っている。また、マイクロプロセッサ１３は、現在時刻Ｔからスタート時刻を減算することにより、スタート地点からマット５−１の間におけるラップタイムの時間計測を行っている。あるいは、現在時刻Ｔからマット５−ｎ（１≦ｎ≦Ｎ−１）を通過した時刻（マット通過時刻ｎ）を減算することにより、マット５−ｎからマット５−（ｎ＋１）の間におけるラップタイムの時間計測を行っている。
マイクロプロセッサ１３は、ストップウオッチの時間表示を行う（ステップＳＴ８ａ）。マイクロプロセッサ１３は、現在時刻Ｔおよびスプリットタイムまたはラップタイムをディスプレイ１５に表示させる。例えば、図５に示すようにディスプレイ１５は、現在時刻Ｔとして１０：５６を、スプリットタイムとして００：５６：２９（５６分２９秒）を表示する。或いは、ユーザーが、ストップウオッチモードにおいて、ＳＷＤを操作した場合は、現在時刻Ｔとラップタイムを表示する。
【００３２】
続いて、ユーザーが、ストップウオッチモードにおいて、ＳＷＡを操作することにより、マイクロプロセッサ１３は、ストップ処理を行う（ステップＳＴ９）。マイクロプロセッサ１３は、図５に示すように、ユーザーが１２：００においてゴールに到達し、計測を停止させる（ＳＴＯＰ）指示（通常のストップ処理）を与えたことにより、スタート後の時間経過の計測を停止する。
続いて、ユーザーが、ストップウオッチモードにおいて、ＳＷＥを操作することにより、マイクロプロセッサ１３は、ＲＥＳＥＴ（リセット）処理を行う（ステップＳＴ１０）。マイクロプロセッサ１３は、図５に示すように、レース終了時刻である１２：３０において、ストップウオッチをゼロに戻す（計測している時間を０に戻す）通常のリセット処理を行う。
続いて、ユーザーが、ストップウオッチモードにおいて、ＳＷＢを操作することにより、マイクロプロセッサ１３は、時刻モードへの切り換えを行う（ステップＳＴ１１）。これにより、マラソンモードは終了される。マイクロプロセッサ１３は、時刻モードへ移行した後、現在時刻Ｔをディスプレイ１５に表示させる。例えば、図５に示すようにディスプレイ１５は、現在時刻Ｔとして１１月８日の１２：４５を表示する。
【００３３】
以上説明したように、電子時計１０による従来例におけるマラソンモードの実施例として、動作モードが時刻モードからタイマーモードに移行し、ストップウオッチモードへ移行し、マラソンモードを終了して時刻モードへ移行する場合、ＳＷを操作する回数が次の回数になる。すなわち、時刻モードにおいてＳＷＢを操作する回数が１回、タイマーモードにおいてＳＷＡを操作する回数が２回、ストップウオッチモードにおいてＳＷＡ、ＳＷＢ、ＳＷＥを操作する回数がそれぞれ１回と計８回になる。
このように、ＳＷを操作する回数が多いため、従来においては、利便性の高い電子時計を提供できていなかった。
【００３４】
そこで、本実施形態の電子時計は、動作モードが時刻モードからマラソンタイマーモードに移行し、マラソンストップウオッチモードへ移行し、マラソンモードを終了して時刻モードへ移行する場合、ＳＷを操作する回数を減らすことにより、利便性の高い電子時計を提供する。以下、電子時計１０による本実施形態におけるマラソンモードの実施例について、図７、図８、図９および図１０を用いて説明する。図７は、本実施形態における時計操作を示すフローチャートである。また、図８は、本実施形態における時計操作を示すタイミングチャートである。また、図９および図１０は、本実施形態における時計操作を示すフローチャートである。
ここでは、マラソンモードの実施例として、図７に示すように動作モードが時刻モードからマラソンタイマーモードに移行し、マラソンストップウオッチモードへ移行し、マラソンモードを終了して時刻モードへ移行する場合について説明する。時刻モードにおいては、上述したＳＷの処理（ユーザーによるＳＷ操作）が行われると、マイクロプロセッサ１３は、通常のＳＷ処理（時刻表示モードにおけるＳＷ操作に対応する処理）を行う。また、マラソンタイマーモードにおいては、上述したユーザーによるＳＷ操作が行われると、マイクロプロセッサ１３は、特定のＳＷ処理（マラソンタイマーモードにおけるＳＷ操作に対応する処理）を行う。また、マラソンストップウオッチモードにおいては、ユーザーによるＳＷ操作が行われると、マイクロプロセッサ１３は、マラソンストップウオッチモードにおけるＳＷ操作に対応する特定のＳＷ処理を行う。また、時刻モードにおいては、上述したＳＷの処理が行われると、マイクロプロセッサ１３は、通常のＳＷ処理を行う。
図８には、マラソン大会当日のスケジュールとして、ユーザーが大会の開始場所に１１月８日の９：００に到着し、その後マラソンの準備に入り、１０：００にスタートし、１２：００にゴールを通過するスケジュールを示している。また、図８ではそのスケジュールにおける時計操作の処理について示している。また、図８では各処理を行った際のディスプレイ１５の表示内容を簡潔に示している。
以下、図９および図１０について、図８を適宜参照しながら説明する。
【００３５】
１１月８日の８：５６には、マイクロプロセッサ１３は、現在時刻の処理として時刻Ｔを処理する（ステップＳＴ２１）。マイクロプロセッサ１３は、時計時刻表示を行う（ステップＳＴ２１ａ）。マイクロプロセッサ１３は、現在時刻Ｔをディスプレイ１５に表示させる。例えば、図８に示すようにディスプレイ１５は、現在時刻Ｔとして１１月８日の８：５６を表示する。
ユーザーが、時刻モードにおいて、電子時計１０に設定タイマー時間Ｓ０（例えば１時間）、マラソン大会のスタート時刻（設定スタート時刻Ｔ０）を、外部操作部材１４から入力することにより、マイクロプロセッサ１３は、設定タイマー時間Ｓ０、設定スタート時刻Ｔ０をメモリ１６に記憶する（ステップＳＴ２２）。なお、ユーザーによる設定タイマー時間Ｓ０、設定スタート時刻Ｔ０の入力（事前入力）の時刻は、設定スタート時刻Ｔ０から設定タイマー時間Ｓ０を減算した時刻より前の時刻に行う必要がある。なお、ユーザーによる設定タイマー時間Ｓ０、設定スタート時刻Ｔ０の入力は、通信手段を用いたものであってもよい。
マイクロプロセッサ１３は、現在時刻の時刻Ｔが設定スタート時刻Ｔ０から設定タイマー時間Ｓ０を減算した時刻になるか否かを判定する（ステップＳＴ２３）。マイクロプロセッサ１３は、時刻Ｔ＝設定スタート時刻Ｔ０−設定タイマー時間Ｓ０の場合（ステップＳＴ２３−Ｙｅｓ）、動作モードを時刻モード（ステップＳＴ１５）からマラソンタイマーモード（ステップＳＴ１６）に移行させる。これにより、時刻モードからタイマーモードへの切り換え（ステップＳＴ２）に必要であった、時刻モードにおけるＳＷＢを操作することが不要になる。
【００３６】
マイクロプロセッサ１３は、マラソンタイマーモードにおいて、自動タイマースタートを行う（ステップＳＴ２４）。
これにより、ユーザーが、タイマーモードにおけるタイマースタート（ステップＳＴ３）において、ＳＷＡを操作してタイマー時間を入力することが不要となり、マイクロプロセッサ１３は、自動タイマースタートを行う。また、マイクロプロセッサ１３は、マラソンタイマーモードにおいて、タイマーに設定タイマー時間Ｓ０を設定し、タイマーを動作させる。
マイクロプロセッサ１３は、ユーザーがスタートするまでの残タイマー時間処理を行う（ステップＳＴ２５）。残タイマー時間とは、タイマーに設定された設定タイマー時間Ｓ０のことであり、マイクロプロセッサ１３は、タイマーを制御してカウントダウンさせることにより残タイマー時間を計測する。マイクロプロセッサ１３は、タイマー表示を行う（ステップＳＴ２５ａ）。マイクロプロセッサ１３は、現在時刻Ｔおよび残タイマー時間をディスプレイ１５に表示させる。例えば、図８に示すようにディスプレイ１５は、現在時刻Ｔとして９：４１を、残タイマー時間として０：１９（１９分）を表示する。
マイクロプロセッサ１３は、残タイマー時間がゼロになるか否かを判定する（ステップＳＴ２６）。マイクロプロセッサ１３は、残タイマー時間＝０の場合（ステップＳＴ２６−Ｙｅｓ）、受信オン処理（ステップＳＴ１００）の後、動作モードをマラソンタイマーモード（ステップＳＴ１６）からマラソンストップウオッチモード（ステップＳＴ１７）に移行させる。これにより、タイマーモードからストップウオッチモードへの切り換え（ステップＳＴ６）に必要であったＳＷＢを操作することが不要になる。
なお、ステップＳＴ１００における受信オン処理というのは、図１に示す受信スイッチ２０を接続状態として受信回路１２を受信可能状態とする処理、または、マイクロプロセッサ１３を受信回路１２からの信号の入力を待受状態とする処理、のことをいう。受信オン処理（ステップＳＴ１００）以降は、受信アンテナ１１が受信した信号発生コイル５ａからのアンテナ信号を、競技者がマット５を通過したことを表す通過信号（ラップ）として、マイクロプロセッサ１３が受信することができるようになる。この状態を、図８に示すような受信オン処理（Ｍｏｎ）から始まる受信オン状態（Ｍ）と称する。
【００３７】
マイクロプロセッサ１３は、マラソンストップウオッチモードにおいて、自動ストップウオッチスタートを行う（ステップＳＴ２７）。
これにより、ユーザーがストップウオッチモードにおけるストップウオッチスタート（ステップＳＴ７）において、ＳＷＡを操作することが不要となり、マイクロプロセッサ１３は、自動ストップウオッチスタートを行う。
マイクロプロセッサ１３は、ストップウオッチの時間演算をする（ステップＳＴ２８）。
マイクロプロセッサ１３は、現在時刻Ｔから設定スタート時刻Ｔ０を減算することにより、スタート時刻（１０：００）からの経過時間であるスプリットタイムの時間計測を行っている。また、マイクロプロセッサ１３は、現在時刻Ｔから設定スタート時刻Ｔ０を減算することにより、スタート地点からマット５−１の間におけるラップタイムの時間計測を行っている。あるいは、現在時刻Ｔからマット５−ｎ（１≦ｎ≦Ｎ−１）を通過した時刻（マット通過時刻ｎ）を減算することにより、マット５−ｎからマット５−（ｎ＋１）の間におけるラップタイムの時間計測を行っている。
マイクロプロセッサ１３は、ストップウオッチの時間表示を行う（ステップＳＴ２８ａ）。マイクロプロセッサ１３は、現在時刻Ｔおよびスプリットタイムまたはラップタイムをディスプレイ１５に表示させる。例えば、図８に示すようにディスプレイ１５は、現在時刻Ｔとして１０：５６を、スプリットタイムとして００：５６：２９（５６分２９秒）を表示する。或いは、ユーザーが、マラソンストップウオッチモードにおいて、ＳＷＤを操作した場合は、現在時刻Ｔとラップタイムを表示する。
【００３８】
続いて、図１０を用いてマラソンモードを終了させるときのマイクロプロセッサ１３の処理について説明する。
マラソンストップウオッチモードにおいて、マイクロプロセッサ１３は、ユーザーによるＳＷＡの長押し入力が有りか否かを判定する（ステップＳＴ３１）。
マイクロプロセッサ１３は、ＳＷＡの長押し入力が有ったと判定した場合、ストップウオッチ  ストップ（通常とは異なる特殊なストップ処理）を行う（ステップＳＴ３２）。マイクロプロセッサ１３は、ユーザーがＳＷＡを通常よりも長い時間で押し続けることにより、ストップウオッチ  ストップを行う。ストップウオッチ  ストップとは、以下のような内容の処理である。すなわち、マイクロプロセッサ１３は、計時部２を制御して、スプリットタイム計測を停止させる。また、マイクロプロセッサ１３は、ストップウオッチ  ストップ入力（ＳＷＡの長押し入力）がされる時刻前の直近の、すなわち直前のラップ入力（通過信号のマイクロプロセッサ１３への入力）を最終ラップ（Ｎ番目のマット５を通過したこと）の入力があったと判定する。また、マイクロプロセッサ１３は、この最終ラップの入力時刻に対応するスプリットタイムをトータルのゴールタイム（トータルスプリットタイム）とし、このスプリットタイムをメモリ１６に記憶させる。なお、スプリットタイムとは、上述の通り、グロスタイムとネットタイムがあるので、マイクロプロセッサ１３は、グロスタイムＳＰＬＧＮおよびネットタイムＳＰＬＮＮのいずれか一方又は両方をメモリ１６に記憶させることができる。
【００３９】
続いて、マイクロプロセッサ１３は、ストップウオッチ  ストップの後、受信オフ処理（ステップＳＴ１０２）を介して、ストップウオッチ  ＲＥＳＥＴ処理を行う（ステップＳＴ３３）。ストップウオッチモードにおいて必要であったＳＷＥの操作（ステップＳＴ１０）は不要であり、マイクロプロセッサ１３は、通常のＲＥＳＥＴ処理を行う。
なお、ステップＳＴ１０２における受信オフ処理というのは、図１に示す受信スイッチ２０を接続状態から切断状態に切り替えて受信回路１２を受信できない状態とする処理、または、マイクロプロセッサ１３を受信回路１２からの信号の入力を遮断する状態とする処理、のことをいう。受信オフ処理（ステップＳＴ１０２）以降は、受信アンテナ１１が受信した信号発生コイル５ａからのアンテナ信号に基づく、競技者がマット５を通過したことを表す通過信号（ラップ）を、マイクロプロセッサ１３が処理することができないようになる。図８のタイミングチャートにおいては、受信オン状態（Ｍ）が受信オフ処理（Ｍｏｆｆ）により終了することが分かる。
また、マイクロプロセッサ１３は、マラソンモードの解除を行う（ステップＳＴ３４）。
ストップウオッチモードにおいて必要であったＳＷＢの操作（ステップＳＴ１１）は不要であり、マイクロプロセッサ１３は、マラソンモードを終了させる。すなわち、図８に示すように、ＳＷＡの長押し後、時刻モードへ移行する。マイクロプロセッサ１３は、時刻モードへ移行した後、現在時刻Ｔをディスプレイ１５に表示させる。例えば、図８に示すようにディスプレイ１５は、現在時刻Ｔとして１１月８日の１２：４５を表示する。
【００４０】
以上説明したように、第１の実施形態の電子時計１０によるマラソンモードとして、動作モードが時刻モードからマラソンタイマーモードに移行し、マラソンストップウオッチモードへ移行し、マラソンモードを終了して時刻モードへ移行する場合、ＳＷを操作する回数が１回になる。すなわち、本実施形態の電子時計１０は、マラソンモードにおけるＳＷを操作する回数を減らすことにより、利便性の高い電子時計を提供することができる。
また、第１の実施形態の電子時計１０では、マラソン終了時のスプリットタイムを、ユーザーがＳＷ操作を１回することにより正確に測定することができる。
また、受信オン処理（ステップＳＴ１００）及び受信オフ処理（ステップＳＴ１０２）により、受信回路の不要な動作を抑制することができるので、消費電力を低減することができる。また、受信回路が無用な電波等を受信してしまうことで、不要な通過信号（ラップ）を記録してしまい、ユーザーの意図しないタイム計測がされてしまうといった事態を抑制することができる。
【００４１】
［第２の実施形態］
次に、電子時計１０による第２の実施形態におけるマラソンモードの実施例について、図１１および図１２を用いて説明する。図１１は、第２の実施形態における時計操作を示すタイミングチャートである。また、図１２は、第２の実施形態における時計操作を示すフローチャートである。なお、図１１に示すように動作モードが時刻モードからマラソンタイマーモードに移行し、マラソンストップウオッチモードへ移行する場合は、第１の実施形態と同じであるので、説明を省略する。また、受信オン処理（Ｍｏｎ、ステップＳＴ１００）により開始され、受信オフ処理（Ｍｏｆｆ、ステップＳＴ１０２）により終了する受信オン状態についても、第１の実施形態と作用効果は同じであるので、詳細な説明は省略する。ここでは、マラソンモードを終了して時刻モードへ移行する場合について、図１１および図１２を用いて説明する。
マラソンストップウオッチモードにおいて、マイクロプロセッサ１３は、ユーザーによるＳＷＡの入力が有りか否かを判定する（ステップＳＴ４１）。
マイクロプロセッサ１３は、ＳＷＡの短押しが有ったと判定した場合、ストップ処理を行う（ステップＳＴ１０２）。続いて、受信オフ処理（ステップＳＴ１０２）を行う。
次に、マイクロプロセッサ１３は、ユーザーによるＳＷＥの入力が有りか否かを判定する（ステップＳＴ４３）。マイクロプロセッサ１３は、ＳＷＥの入力があった場合（ステップＳＴ４３−Ｙｅｓ）、ステップＳＴ４４へ進む。一方、マイクロプロセッサ１３は、残タイマー時間がゼロになってもＳＷＥの入力がない場合（ステップＳＴ４３−Ｎｏ）、ステップＳＴ４８へ進む。
マイクロプロセッサ１３は、ユーザーがＳＷＡを通常の時間で押し、続いて、所定期間内にＳＷＥを押したことにより、ストップウオッチ  ストップを行う（ステップＳＴ４４）。すなわち、マイクロプロセッサ１３は、計時部２を制御して、スプリットタイム計測を停止させる。また、マイクロプロセッサ１３は、ストップウオッチ  ストップ入力（ＳＷＡ入力およびＳＷＥ入力）がされる時刻前の直近の、すなわち直前のラップ入力（通過信号のマイクロプロセッサ１３への入力）を最終ラップ（Ｎ番目のマット５を通過したこと）の入力があったと判定する。また、マイクロプロセッサ１３は、この最終ラップの入力時刻に対応するスプリットタイムをトータルのゴールタイム（トータルスプリットタイム）とし、このスプリットタイムをメモリ１６に記憶させる。なお、スプリットタイムとは、上述の通り、グロスタイムとネットタイムがあるので、マイクロプロセッサ１３は、グロスタイムＳＰＬＧＮおよびネットタイムＳＰＬＮＮのいずれか一方又は両方をメモリ１６に記憶させることができる。
【００４２】
続いて、マイクロプロセッサ１３は、ストップウオッチ  ストップの後、ストップウオッチ  ＲＥＳＥＴ処理を行う（ステップＳＴ４５）。ストップウオッチモードにおいて必要であったＳＷＥの操作（ステップＳＴ１０）は不要であり、マイクロプロセッサ１３は、通常のＲＥＳＥＴ処理を行う。
また、マイクロプロセッサ１３は、マラソンモードの解除を行う（ステップＳＴ４６）。
ストップウオッチモードにおいて必要であったＳＷＢの操作（ステップＳＴ１１）は不要であり、マイクロプロセッサ１３は、マラソンモードを終了させる。すなわち、図１１に示すように、ＳＷＥの短押し後、時刻モードへ移行する。マイクロプロセッサ１３は、時刻モードへ移行した後、現在時刻Ｔをディスプレイ１５に表示させる。例えば、図１１に示すようにディスプレイ１５は、現在時刻Ｔとして１１月８日の１２：４５を表示する。
【００４３】
一方、マイクロプロセッサ１３は、ユーザーがＳＷＡを通常の時間で押し、続いて、所定期間内にＳＷＡが押されれば（ステップＳＴ４８−Ｙｅｓ）、受信オン処理を行い（ステップＳＴ１００）、ストップウオッチ  スタートを行い（ステップＳＴ４９）、ステップＳＴ４１へ戻る。一方、マイクロプロセッサ１３は、ＳＷＡ入力が無しの場合（ステップＳＴ４８−Ｎｏ）、ステップＳＴ４３へ戻る。
【００４４】
このように、ユーザーがＳＷＡを押し、続いて、所定期間内にＳＷＥを押すことにより（ステップＳＴ４１〜ＳＴ４４）、マイクロプロセッサ１３は、最終ラップの入力時刻に対応するスプリットタイムをトータルのゴールタイムとし、このスプリットタイムをメモリ１６に記憶させることができる。また、ユーザーがＳＷＡを押し（ステップＳＴ４１）、所定期間内に再度ＳＷＡを押すことにより（ステップＳＴ４８）、ユーザーは自身の走行状態に応じて、計測の一時停止、再計測を行うことができる。例えば、トイレ休憩等の時間を除くことで、より正確なネットタイムを得たい場合等に適宜採用され得る。
【００４５】
以上説明したように、第２の実施形態の電子時計１０によるマラソンモードとして、動作モードが時刻モードからマラソンタイマーモードに移行し、マラソンストップウオッチモードへ移行し、マラソンモードを終了して時刻モードへ移行する場合、ＳＷを操作する回数が少なくとも２回になる。すなわち、本実施形態の電子時計１０は、マラソンモードにおけるＳＷを操作する回数を減らすことにより、利便性の高い電子時計を提供することができる。
また、第２の実施形態の電子時計１０では、マラソン終了時のスプリットタイムを、ユーザーがＳＷ操作を少なくとも２回することにより正確に測定することができる。
【００４６】
［第３の実施形態］
次に、電子時計１０による第３の実施形態におけるマラソンモードの実施例について、図１３および図１４を用いて説明する。図１３は、第３の実施形態における時計操作を示すタイミングチャートである。また、図１４は、第３の実施形態における時計操作を示すフローチャートである。なお、図１３に示すように動作モードが時刻モードからマラソンタイマーモードに移行し、マラソンストップウオッチモードへ移行する場合は、第１の実施形態と同じであるので、説明を省略する。また、受信オン処理（Ｍｏｎ、ステップＳＴ１００）により開始され、受信オフ処理（Ｍｏｆｆ、ステップＳＴ１０２）により終了する受信オン状態についても、第１の実施形態と作用効果は同じであるので、詳細な説明は省略する。ここでは、マラソンモードを終了して時刻モードへ移行する場合について、図１３および図１４を用いて説明する。
マラソンストップウオッチモードにおいて、マイクロプロセッサ１３は、計時部２が完走限度時刻ＴＥを計時済であるか否かを判定する（ステップＳＴ６１）。図１３に示すように、完走限度時刻ＴＥはレース終了時刻１２：３０であり、予めメモリ１６に記憶されている。計時部２は、計測する現在時刻Ｔが完走限度時刻ＴＥに達した際、完走限度時刻ＴＥに達したことを表す完走限度時刻到達信号をマイクロプロセッサ１３に出力する。マイクロプロセッサ１３は、この完走限度時刻到達信号が入力されると、受信オフ処理（ステップＳＴ１０２）を経て、ステップＳＴ６２へ進む。
マイクロプロセッサ１３は、完走限度時刻到達信号が入力された場合（ステップＳＴ６１−Ｙｅｓ）、ストップウオッチ  ストップ（通常とは異なる特殊なストップ処理）を行う（ステップＳＴ６２）。マイクロプロセッサ１３は、計時部２を制御して、スプリットタイム計測を停止させる。また、マイクロプロセッサ１３は、ストップウオッチ  ストップ入力（完走限度時刻到達信号の入力）がされる時刻前の直近の、すなわち直前のラップ入力（通過信号のマイクロプロセッサ１３への入力）を最終ラップ（Ｎ番目のマット５を通過したこと）の入力があったと判定する。また、マイクロプロセッサ１３は、この最終ラップの入力時刻に対応するスプリットタイムをトータルのゴールタイム（トータルスプリットタイム）とし、このスプリットタイムをメモリ１６に記憶させる。なお、スプリットタイムとは、上述の通り、グロスタイムとネットタイムがあるので、マイクロプロセッサ１３は、グロスタイムＳＰＬＧＮおよびネットタイムＳＰＬＮＮのいずれか一方又は両方をメモリ１６に記憶させることができる。
【００４７】
続いて、マイクロプロセッサ１３は、ストップウオッチ  ストップの後、ストップウオッチ  ＲＥＳＥＴ処理を行う（ステップＳＴ６３）。ストップウオッチモードにおいて必要であったＳＷＥの操作（ステップＳＴ１０）は不要であり、マイクロプロセッサ１３は、通常のＲＥＳＥＴ処理を行う。
また、マイクロプロセッサ１３は、マラソンモードの解除を行う（ステップＳＴ６４）。
ストップウオッチモードにおいて必要であったＳＷＢの操作（ステップＳＴ１１）は不要であり、マイクロプロセッサ１３は、マラソンモードを終了させる。すなわち、図１３に示すように、レース終了時１２：００に時刻モードへ移行する。マイクロプロセッサ１３は、時刻モードへ移行した後、現在時刻Ｔをディスプレイ１５に表示させる。例えば、図１３に示すようにディスプレイ１５は、現在時刻Ｔとして１１月８日の１２：４５を表示する。
【００４８】
以上説明したように、第３の実施形態の電子時計１０によるマラソンモードとして、動作モードが時刻モードからマラソンタイマーモードに移行し、マラソンストップウオッチモードへ移行し、マラソンモードを終了して時刻モードへ移行する場合、ＳＷを操作する回数がゼロになる。すなわち、本実施形態の電子時計１０は、マラソンモードにおけるＳＷを操作する回数を減らすことにより、利便性の高い電子時計を提供することができる。
また、第３の実施形態の電子時計１０では、マラソン終了時のスプリットタイムを、ユーザーがＳＷ操作をせずとも正確に測定することができる。
また、第３の実施形態の電子時計１０では、ユーザーによるＳＷＡを押すことによるストップ指示を与え忘れる、マラソン競技に参加中に現在時刻が完走限度時刻になってしまう、或いはユーザーが実際にはマラソン競技に参加しなかった場合などに、マラソンモードを終了して時刻モードへ移行させることができる。ユーザーによるＳＷＡを押すことによるストップ指示を与え忘れた場合、マイクロプロセッサ１３は、グロスタイムＳＰＬＧＮおよびネットタイムＳＰＬＮＮのいずれか一方又は両方をメモリ１６に記憶させることができる。また、マラソン競技に参加中に現在時刻が完走限度時刻になってしまった場合、マイクロプロセッサ１３は、グロスタイムＳＰＬＧｎ（ｎ＜Ｎ）およびネットタイムＳＰＬＮｎ（ｎ＜Ｎ）のいずれか一方又は両方をメモリ１６に記憶させることができる。
【００４９】
［第４の実施形態］
次に、電子時計１０による第４の実施形態におけるマラソンモードの実施例について、図１５および図１６を用いて説明する。図１５は、第４の実施形態における時計操作を示すタイミングチャートである。また、図１６は、第４の実施形態における時計操作を示すフローチャートである。なお、図１５に示すように動作モードが時刻モードからマラソンタイマーモードに移行し、マラソンストップウオッチモードへ移行する場合は、第１の実施形態と同じであるので、説明を省略する。また、受信オン処理（Ｍｏｎ、ステップＳＴ１００）により開始され、受信オフ処理（Ｍｏｆｆ、ステップＳＴ１０２）により終了する受信オン状態についても、第１の実施形態と作用効果は同じであるので、詳細な説明は省略する。ここでは、マラソンモードを終了して時刻モードへ移行する場合について、図１５および図１６を用いて説明する。
マラソンストップウオッチモードにおいて、マイクロプロセッサ１３は、ラップの入力が規定数に達したか否かを判定する（ステップＳＴ７１）。図１５に示すように、ユーザーが時刻１２：００に、ゴール地点にも設けられたマット５を通過したものとする。マイクロプロセッサ１３は、マット番号ｎ（＝Ｎ）をカウントする。マイクロプロセッサ１３は、マット番号ｎがメモリ１６に記憶した規定数Ｎｒ（＝Ｎ）と等しいので、ラップの入力が規定数に達したと判定し（ステップＳＴ７１−Ｙｅｓ）、受信オフ処理（ステップＳＴ１０２）を経て、ステップＳＴ７２へ進む。
マイクロプロセッサ１３は、ラップの入力が規定数に達したので、ストップウオッチ  ストップ（通常とは異なる特殊なストップ処理）を行う（ステップＳＴ７２）。マイクロプロセッサ１３は、計時部２を制御して、スプリットタイム計測を停止させる。また、マイクロプロセッサ１３は、ストップウオッチ  ストップ入力（マット番号Ｎの入力）がされる時刻前の直近の、すなわち直前のラップ入力（通過信号のマイクロプロセッサ１３への入力）を最終ラップ（Ｎ番目のマット５を通過したこと）の入力があったと判定する。また、マイクロプロセッサ１３は、この最終ラップの入力時刻に対応するスプリットタイムをトータルのゴールタイム（トータルスプリットタイム）とし、このスプリットタイムをメモリ１６に記憶させる。なお、スプリットタイムとは、上述の通り、グロスタイムとネットタイムがあるので、マイクロプロセッサ１３は、グロスタイムＳＰＬＧＮおよびネットタイムＳＰＬＮＮのいずれか一方又は両方をメモリ１６に記憶させることができる。
【００５０】
続いて、マイクロプロセッサ１３は、ストップウオッチ  ストップの後、ストップウオッチ  ＲＥＳＥＴ処理を行う（ステップＳＴ７３）。ストップウオッチモードにおいて必要であったＳＷＥの操作（ステップＳＴ１０）は不要であり、マイクロプロセッサ１３は、通常のＲＥＳＥＴ処理を行う。
また、マイクロプロセッサ１３は、マラソンモードの解除を行う（ステップＳＴ７４）。
ストップウオッチモードにおいて必要であったＳＷＢの操作（ステップＳＴ１１）は不要であり、マイクロプロセッサ１３は、マラソンモードを終了させる。すなわち、図１５に示すように、１２：００に時刻モードへ移行する。マイクロプロセッサ１３は、時刻モードへ移行した後、現在時刻Ｔをディスプレイ１５に表示させる。例えば、図１５に示すようにディスプレイ１５は、現在時刻Ｔとして１１月８日の１２：４５を表示する。
【００５１】
以上説明したように、第４の実施形態の電子時計１０によるマラソンモードとして、動作モードが時刻モードからマラソンタイマーモードに移行し、マラソンストップウオッチモードへ移行し、マラソンモードを終了して時刻モードへ移行する場合、ＳＷを操作する回数がゼロになる。すなわち、本実施形態の電子時計１０は、マラソンモードにおけるＳＷを操作する回数を減らすことにより、利便性の高い電子時計を提供することができる。
また、第４の実施形態の電子時計１０では、マラソン終了時のスプリットタイムを、ユーザーがＳＷ操作をせずとも正確に測定することができる。
【００５２】
続いて、電子時計１０によるマラソンモードの変形例１〜３について、図１７、図１８および図１９を用いて順番に説明する。
［第１の変形例］
図１７は、第１の変形例における時計操作を示すフローチャートである。図１７は、図１２に示す第２の実施形態における時計操作を示すフローチャートに、図１４に示す第３の実施形態における時計操作を示すフローチャートのステップＳＴ６１を追加したものである。
第２の実施形態では、ＳＷＥの入力がない（ステップＳＴ４３−Ｎｏ）状態が続くと、ストップウオッチ  ストップ（通常とは異なる特殊なストップ処理）の処理を行えないことになる。そこで、図１７に示すように、ＳＷＥの入力がない場合に（ステップＳＴ４３−Ｎｏ）、マイクロプロセッサ１３は、計時部２が完走限度時刻ＴＥを計時済であるか否かを判定する（ステップＳＴ６１）。計時部２が計測する現在時刻Ｔは完走限度時刻ＴＥにいずれは達するため、マイクロプロセッサ１３は、ステップＳＴ４４に進み（ステップＳＴ６１−Ｙｅｓ）、ストップウオッチ  ストップを行うことができる。これにより、マイクロプロセッサ１３は、グロスタイムＳＰＬＧＮおよびネットタイムＳＰＬＮＮのいずれか一方又は両方をメモリ１６に記憶させることができる。
【００５３】
［第２の変形例］
図１８は、第２の変形例における時計操作を示すフローチャートである。図１８は、図１６に示す第４の実施形態における時計操作を示すフローチャートに、図１４に示す第３の実施形態における時計操作を示すフローチャートのステップＳＴ６１を追加したものである。
第４の実施形態では、マット５の規定数Ｎｒを配置されたマット５の個数Ｎと等しい場合について説明したが、規定数Ｎｒがマラソン競技の開催発表の際、正しく知らされない、或いはユーザーが誤って規定数Ｎｒを入力してしまうこともありえる。例えば、マット５の個数Ｎ＞規定数Ｎｒの場合、ストップウオッチ  ストップ（通常とは異なる特殊なストップ処理）の処理において、マイクロプロセッサ１３は、グロスタイムＳＰＬＧＮおよびネットタイムＳＰＬＮＮのいずれか一方又は両方をメモリ１６に記憶させることができない。
そこで、図１８に示すように、マイクロプロセッサ１３は、マット番号ｎがメモリ１６に記憶した規定数Ｎｒ（＜Ｎ）と等しいので、ラップの入力が規定数に達したと判定した場合、ステップＳＴ６１へ進む（ステップＳＴ７１−Ｙｅｓ）。計時部２が計測する現在時刻Ｔは完走限度時刻ＴＥにいずれは達するため、マイクロプロセッサ１３は、受信オフ処理（ステップＳＴ１０２）を経て、ステップＳＴ７２に進み（ステップＳＴ６１−Ｙｅｓ）、ストップウオッチ  ストップを行うことができる。これにより、マイクロプロセッサ１３は、グロスタイムＳＰＬＧＮおよびネットタイムＳＰＬＮＮのいずれか一方又は両方をメモリ１６に記憶させることができる。
【００５４】
［第３の変形例］
図１９は、第３の変形例における時計操作を示すフローチャートである。図１９は、図１６に示す第４の実施形態における時計操作を示すフローチャートに、図１４に示す第３の実施形態における時計操作を示すフローチャートのステップＳＴ６１を追加したものである。
第２の変形例と同様、規定数Ｎｒがマラソン競技の開催発表の際、規定数Ｎｒがマラソン競技の開催発表の際、正しく知らされない、或いはユーザーが誤って規定数Ｎｒを入力してしまうこともありえる。例えば、マット５の個数Ｎ＜規定数Ｎｒの場合、ストップウオッチ  ストップ（通常とは異なる特殊なストップ処理）の処理において、マイクロプロセッサ１３は、グロスタイムＳＰＬＧＮおよびネットタイムＳＰＬＮＮのいずれか一方又は両方をメモリ１６に記憶させることができない。
そこで、図１９に示すように、マイクロプロセッサ１３は、マット番号ｎがメモリ１６に記憶した規定数Ｎｒ（＞Ｎ）となることはないので、ラップの入力が規定数に達したと判定することはなく、ステップＳＴ６１へ進む（ステップＳＴ７１−Ｎｏ）。計時部２が計測する現在時刻Ｔは完走限度時刻ＴＥにいずれは達するため、マイクロプロセッサ１３は、受信オフ処理（ステップＳＴ１０２）を経て、ステップＳＴ７２に進み（ステップＳＴ６１−Ｙｅｓ）、ストップウオッチ  ストップを行うことができる。これにより、マイクロプロセッサ１３は、グロスタイムＳＰＬＧＮおよびネットタイムＳＰＬＮＮのいずれか一方又は両方をメモリ１６に記憶させることができる。
【００５５】
このように、本実施形態の電子時計１０は、受信アンテナ１１が複数のマット５各々に対応する信号発生コイル５ａからアンテナ信号を受信（競技者が所定位置に至ると信号を受信）し、所定位置を通過したことを表す通過信号としてのラップを出力する受信回路１２（通過位置検出部）と、スタートからの経過時間であるスプリットタイムを計測する計時部２（計時部）と、所定のストップ処理により、スプリットタイムの計測を停止させるように計時部２を制御し、ストップ処理が入力された時刻前の直近のラップの入力時刻に対応するスプリットタイムをトータルスプリットタイムとするマイクロプロセッサ１３（制御部）と、を備える。
【００５６】
これにより、本実施形態の電子時計は、動作モードが時刻モードからマラソンタイマーモードに移行し、マラソンストップウオッチモードへ移行し、マラソンモードを終了して時刻モードへ移行する場合、ＳＷを操作する回数を減らすことにより、利便性の高い電子時計を提供することができる。また、本実施形態の電子時計は、トータルスプリットタイム（グロスタイムＳＰＬＧＮ、ネットタイムＳＰＬＮＮ）を正確に測定することができる。
【００５７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述の実施形態においては、電子時計１０がマラソンタイマーモードからマラソンストップウオッチモードに移行した例を説明したが、マラソンタイマーモードを起動せずにマラソンストップウオッチモードを起動することもできる。
【符号の説明】
【００５８】
１，１０…電子時計、２…計時部、５…マット、５ａ…信号発生コイル、６…信号発信器、１１…受信アンテナ、１２…受信回路（通過位置検出部）、１３…マイクロプロセッサ（制御部）、１４…外部操作部材、１５…ディスプレイ、１６…メモリ、１７…電源、２０…受信スイッチ２０
【図１】
0006577311.tif 000002
【図２】
0006577311.tif 000003
【図３】
0006577311.tif 000004
【図４】
0006577311.tif 000005
【図５】
0006577311.tif 000006
【図６】
0006577311.tif 000007
【図７】
0006577311.tif 000008
【図８】
0006577311.tif 000009
【図９】
0006577311.tif 000010
【図１０】
0006577311.tif 000011
【図１１】
0006577311.tif 000012
【図１２】
0006577311.tif 000013
【図１３】
0006577311.tif 000014
【図１４】
0006577311.tif 000015
【図１５】
0006577311.tif 000016
【図１６】
0006577311.tif 000017
【図１７】
0006577311.tif 000018
【図１８】
0006577311.tif 000019
【図１９】
0006577311.tif 000020